(57)【特許請求の範囲】
【請求項１】
タンク内の下部に側壁より供給パイプの先端部を導入し、その導入された供給パイプの先端にフィルタを脱着可能に装着し、そのフィルターの上方を下面開口のフィルタカバーで覆って成るオイルタンクにあって、前記フィルタカバーが、側壁に開口下面から切り込まれた供給パイプ導入口に、その供給パイプ導入口の内縁に連続して外方へ突設されたブラケット曲部を備えたブラケットを有し、そのブラケット内面の少なくとも一部が前記供給パイプの外周に密着した状態で、その供給パイプの先端部に対して脱着自在に取り付けられる産業車輌の荷役動作用オイルタンク。
【請求項２】
前記ブラケットが、前記ブラケット曲部とそのブラケット曲部の両下端部に連設された水平板部とからなり、その水平板部を、供給パイプの両側から水平に突出するよう固着された取り付け座にボルトにて固定することにより前記フィルタカバーが供給パイプの先端部に取り付けられる請求項１に記載した産業車輌の荷役動作用オイルタンク。
【請求項３】
前記ブラケットが、前記ブラケット曲部とそのブラケット曲部に連設された水平板部とからなり、その水平板部と、供給パイプを挟んだ下方に位置する挟持板との間をボルト締めすることにより前記フィルタカバーが前記供給パイプの先端部に取り付けられる請求項１に記載した産業車輌の荷役動作用オイルタンク。
【請求項４】
前記ブラケットと供給パイプとの密着面にシール材を介在させた請求項１乃至３のいずれかに記載した産業車輌の荷役動作用オイルタンク。
【発明の詳細な説明】
【０００１】
【発明の属する技術分野】
本発明は、産業車輌の荷役動作用オイルタンク（以下単にオイルタンクという）に関する。
【０００２】
【従来の技術】
産業車輌、例えばフォークリフトにあっては、荷役動作する機器に供給する作動油を貯溜しておくためのオイルタンクが必要である。
このオイルタンクには、通例、側壁の下部からタンク内に導入された供給パイプの先端にフィルタを装着することにより、供給される作動油内への異物混入防止が図られている。
又、オイルタンクの容量に余裕がなかったり、オイル漏れによってオイルの容量が不足すると、供給口側が高くなるようオイルタンクが傾斜したときなどは、図６の（ａ）に示すように、供給口１８が油面Ｌから顔を出し、空気を吸い込んでしまって肝心な作動油を供給できなくなってしまうので、図６の（ｂ）に示すように、フィルタ３を含む供給口１８の上部をフィルタカバー４で覆い、油面Ｌがフィルタカバー４より下まで下がらない限り、空気が供給口１８内に流入することを阻止し、限られた量の作動油を有効に利用する試みがなされている。
そして前記フィルタカバー４は、従来、図７に示すように、ボルトにより脱着可能に設けられた盲蓋６に貫通することでタンク内に導入された供給パイプ２の先端部外周に溶接手段で一体に固着されていて、フィルタ３は、供給パイプ２の先端開口に対してねじ込み装着した構造となっていた。
尚、前記フィルタ３は、使用状況に応じて適宜清掃、交換などのメンテナンスを必要とする。
そのためには、まずタンク内のオイルを抜いてからフィルタカバー４、フィルタ３、供給パイプ２、及び盲蓋６とを一体で外した後、フィルタ３を供給パイプ２から外していた。
【０００３】
【発明が解決しようとする課題】
しかしながら、フィルタ３を供給パイプ２から外す際には、フィルタカバー４が邪魔になって工具を自由に操れず、作業性が悪かった。
フィルタにフィルタカバーを固着したカバー付きフィルタとすることもできるが、清掃の場合はフィルタカバー４が邪魔になるし、交換の場合はカバーごととなるのでコストアップに繋がる。
更に、ねじ込み装着した場合、フィルタカバーが傾いた状態であると、横から空気が入って充分な機能が発揮されない。
【０００４】
【課題を解決するための手段】
本発明は、メンテナンスの作業性向上を目的としたオイルタンクであって、その構成は、フィルタカバーが、側壁に開口下面から切り込まれた供給パイプ導入口に、その供給パイプ導入口の内縁に連続して外方へ突設されたブラケット曲部を備えたブラケットを有していて、そのブラケット内面の少なくとも一部が前記供給パイプの外周に密着した状態で、その供給パイプの先端部に対して脱着自在に取り付けられることにある。
そして、前記ブラケットが、ブラケット曲部とそのブラケット曲部の両下端部に連設された水平板部とからなり、その水平板部を、供給パイプの両側から水平に突出するよう固着された取り付け座にボルトにて固定することにより前記フィルタカバーが供給パイプの先端部に取り付けられるようにもでき、又、前記ブラケットが、前記ブラケット曲部とそのブラケット曲部に連設された水平板部とからなり、その水平板部と、供給パイプを挟んだ下方に位置する挟持板との間をボルト締めすることにより前記フィルタカバーが前記供給パイプの先端部に取り付けられるようにできる。
そして前記ブラケットと供給パイプとの密着面には、シール材を介在させることが望ましい。
【０００５】
【作用】
フィルタカバーを供給パイプに対して脱着自在とすることで、フィルタカバーを外し、フィルタカバーがない状態でフィルタの脱着操作を行える。
又、側壁に切り込み形成された供給パイプ導入口に連続して外方に突設されたブラケットの内面を供給パイプの外周に密着することで、カバー内への空気流入がシャットアウトされる。
更に、ブラケットに水平板部を連設し、その水平板部を供給パイプに固着された取り付け座へボルトにて固定、或いは前記水平板部と、供給パイプを挟んだ下方に位置する挟持板との間をボルト締めすることにより前記フィルタカバーを前記供給パイプの先端部に取り付けするようにすれば、フィルタカバーを容易に脱着できる。
そしてブラケットと供給パイプとの密着面にシール材を介在すれば、シール性が高くなる。
【０００６】
【発明の実施の形態】
本発明に係るオイルタンクの一実施の態様を、図面に基づいて説明する。
図１及び図２はオイルタンクの供給パイプ取り付け部分を示したもので、１はオイルタンク、２は供給パイプ、３はフィルタ、４はフィルタカバーである。
前記オイルタンク１の側壁１ａには、供給パイプ取り付け位置となる下方部位にオイル供給窓５が切り抜き形成されていて、そのオイル供給窓５は、パッキン５ａを介してボルト６ａ，６ａ・・にて盲蓋６により閉塞されている。
前記盲蓋６には、前記供給パイプ２が先端部をタンク内に頭出した状態にて貫通され、貫通部分の外周は盲蓋６へ溶接によってオイル漏れしないよう固着されている。
前記フィルタ３は、盲蓋６を貫通することによりタンク内に導入された供給パイプ２の先端に脱着可能、例えばねじ込み装着され、フィルタカバー４がそのフィルタ３の上方を覆うように後述する構成で取り付けられる。
【０００７】
前記フィルタカバー４は下面開口で、一方の側壁には、前記開口から供給パイプ２の半径よりやや深くまで供給パイプ導入口４ａが切り込み形成され、そのパイプ導入口４ａには、パイプ導入方向に長く、外面が前記パイプ導入口４ａの内縁に合致した湾曲プレート状のブラケット曲部７ｂが、前記パイプ導入口４ａの内縁に連続して外方に突設するよう固着されていて、そのブラケット曲部７ｂには、両下端部に水平板部７ａ，７ａが連設され、その水平板部７ａ，７ａにはボルト挿通孔８，８が穿設されている。
即ち、ブラケット曲部７ｂと水平板部７ａ，７ａとでブラケット７が構成されている。
【０００８】
一方供給パイプ２の先端部には、下面から左右へ水平に突出した取り付け座９，９が固着されており、その取り付け座９，９にはそれぞれボルト挿通孔１０，１０が穿設され、下面には、ナット１１，１１が前記ボルト挿通孔１０，１０と同軸配置にて固着されている。
尚、ナット１１，１１を設けずに、ボルト挿通孔１０，１０の内面に螺旋を切ってナットの代用としても良い。
【０００９】
このように形成されたオイルタンクにあっては、供給パイプ２の先端にフィルタ３をねじ込み装着した後、フィルタカバー４をフィルタ３に覆せるよう上方から近ずけ、前記ブラケット曲部７ｂを供給パイプ２のタンク内部側に装着し、ブラケット７の水平板部７ａを、取り付け座９に対してボルト挿通孔８，１０同士が重なるように密着し、ボルト１２を前記ボルト挿通孔８，１０とへ連続して挿通し、ナット１１に螺合させ、締着することにより組み付けられる。  尚、前記ブラケット７と供給パイプ２との密着面には、シール材として液状ガスケットやゴム製のパッキン１３などを必要に応じて介在させる（図３参照）。
但し、十分な密着性が得られれば省略しても差し支えない。
【００１０】
フィルタの清掃や交換に際しては、ボルト１２による締着を解除すれば容易にフィルタカバー４を外すことができるので、フィルタ３の脱着操作中、工具の動きがフィルタカバーに邪魔されることはない。
又、オイルタンク内が作業可能な広さを有していれば、オイルを抜いた後、盲蓋６を外すことなく、タンク内から直接フィルタカバー４を外し、それに続いてフィルタ３を容易に外せるので、更に作業性が向上する。
そしてこの場合は、盲蓋６を省略できる。
【００１１】
前記実施の態様では、供給パイプの先端部に、ナット付きの取り付け座を固着したものとなっているので、 ボルト締め操作は簡単であるが、図４の（ａ）に例示するように、別体の挟持板１４を供給パイプ２の下から当てがって、ブラケット７の水平板部７ａとでボルト１２及びナット１１とで固定するようにしたり、水平板部を省略し、図４の（ｂ）に例示するように、締着バンド１５を利用することもできる。
但し、この場合のブラケット７’は、ほぼ半円に湾曲した形状となる。
この他、フィルタカバー４を供給パイプ２に脱着可能なその他の手段に置き換えることが可能である。
又実施例では、フィルタ３側を雄螺旋、供給パイプ側を雌螺旋で構成しているが、逆にフィルタ３側を雌螺旋、供給パイプ側を雄螺旋で構成しても良いし、或いは、螺旋締結以外の他の脱着可能な固定手段に置き換えることも勿論可能である。
図５に例示するように、ブラケット１６は、絞り形成時にフィルタカバー１７と一体に成形することもでき、カバーの開口下面は、ブラケットを介して密着結合させる構造にあっては、少なくともブラケットが供給パイプに密着可能な最下位置である供給パイプの中心を通る水平位置まで達するようにするのが望ましい。
【００１２】
そして本発明のオイルタンクは、フォークリフト以外の他の産業車輌に適用でき、フィルタカバーの取り付け構造は前記実施の態様に示した構造に限定されるものでなく、供給パイプに対して脱着自在な構造であれば適宜変更できる。
【００１３】
【発明の効果】
本発明によれば、フィルタカバーを外すことによって、工具の動きを制限されることなく容易に脱着作業ができる。
又、ブラケットを利用した取り付け構造を採用すると、ブラケットを供給パイプに密着結合するだけで、フィルタカバーと供給パイプとのシール処理も実行される。
更に、水平板部を取り付け座へボルトにて固定、或いは前記水平板部と、供給パイプを挟んだ下方に位置する挟持板との間をボルト締めするようにすれば、フィルタカバーを簡単に脱着できる。
そしてブラケットと供給パイプとの密着面にシール材を介在すれば、シール機能は完璧となる。
【図面の簡単な説明】
【図１】本発明に係るオイルタンクの実施の態様における供給パイプ導入部分を分解して示した説明図である。
【図２】本発明に係るオイルタンクの実施の態様における供給パイプ導入部分の組み付け状態を示した説明図である。
【図３】供給パイプとフィルタカバーとの結合部分を示した説明図である。
【図４】（ａ），（ｂ）は供給パイプとフィルタカバーとの結合部の変更例を示した説明図である。
【図５】ブラケットの変更例を示す説明図である。
【図６】フィルタカバーの必要性を理解するための説明図である。
【図７】従来例の説明図である。
【符号の説明】
１・・オイルタンク、１ａ・・側壁、２・・供給パイプ、３・・フィルタ、４・・フィルタカバー、４ａ・・供給パイプ導入口、５・・オイル供給窓、５ａ・・パッキン、６・・盲蓋、６ａ・・ボルト、７，７’・・ブラケット、７ａ・・水平板部、７ｂ・・ブラケット曲部、８・・ボルト挿通孔、９・・取り付け座、１０・・ボルト挿通孔、１１・・ナット、１２・・ボルト、１３・・パッキン、１４・・挟持板、１５・・締着バンド、１６・・ブラケット、１７・・フィルタカバー、１８・・供給口。
【図１】
0003718928.tif 000002
【図２】
0003718928.tif 000003
【図３】
0003718928.tif 000004
【図４】
0003718928.tif 000005
【図５】
0003718928.tif 000006
【図６】
0003718928.tif 000007
【図７】
0003718928.tif 000008